(57)【要約】【課題】レーザ光の光源の出力光量を正確に検出する。【解決手段】光分離素子２５を構成する第１プリズム２３の側面３３の傾斜角を変更して突出面３２の長さを、第１プリズム３と第２プリズム４とを接着剤で貼り合わせる場合にはみ出す接着剤の長さの予測最大値を差し引いた長さが、突出面３２で全反射されて光モニタ２６に入射される第２レーザ光の光量が所望の光量となる長さよりも充分長くなるように予め設定する。こうして、ホログラムパターン２９からの第２レーザ光の回折光を、総て突出面３２のはみ出し接着剤が存在しない領域のみに入射させて、光モニタ２６から出力される信号のＳ/Ｎ比の低下を防止し、第２光源２２の出力光量を正確に検出する。【選択図】図１
2007157223.tif 000002
【特許請求の範囲】
【請求項１】
第１レーザ光を出射する第１光源と、
上記第１レーザ光とは波長が異なる第２レーザ光を出射する第２光源と、
上記第１レーザ光および上記第２レーザ光を、光ディスクのデータ記録面に集光する対物レンズと、
上記第２レーザ光の光量を検出する光モニタと、
上記第１光源から出射された上記第１レーザ光を上記対物レンズに向かって反射させる一方、上記第２光源から出射された上記第２レーザ光を透過させて上記対物レンズに入射させる波長選択膜、および、上記第２光源から出射された上記第２レーザ光を上記光モニタに向かって反射させる光反射部を有する光分離素子と
を備え、
上記光分離素子は、上記第１光源から出射された上記第１レーザ光が入射される第１プリズムにおける一側面の少なくとも一部と、上記第２光源から出射された上記第２レーザ光が入射される第２プリズムにおける一側面の少なくとも一部とを、接着剤で貼り合わせて構成され、
上記波長選択膜は、上記貼り合わせられた上記第１プリズムの一側面の少なくとも一部と上記第２プリズムの一側面の少なくとも一部との間に狭持されており、
上記光反射部は、上記第２プリズムに設けられており、
上記第１プリズムおよび上記第２プリズムの少なくとも一方に、上記第１プリズムと上記第２プリズムとを接着剤で貼り合わせた際に上記接着剤が接着面からはみ出す領域であって、上記光反射部の領域とは重ならない領域であるはみ出し領域を設けた
ことを特徴とする光ピックアップ装置。
【請求項２】
請求項１に記載の光ピックアップ装置において、
上記第２プリズムの一側面における上記光モニタ側の端部は、上記第１プリズムの一側面よりも突出しており、
上記光反射部と上記はみ出し領域とは、上記第２プリズムの一側面における上記第１プリズムの一側面よりも突出している突出面に設けられており、
上記はみ出し領域は、上記光反射部よりも上記第１プリズム側であって、上記第１プリズムに隣接して配置されている
ことを特徴とする光ピックアップ装置。
【請求項３】
請求項１に記載の光ピックアップ装置において、
上記第２プリズムの一側面における上記光モニタ側の端部は、上記第１プリズムの一側面よりも突出しており、
上記光反射部は、上記第２プリズムの一側面における上記第１プリズムの一側面よりも突出している突出面に設けられており、
上記はみ出し領域は、上記第１プリズムにおける上記一側面と上記一則面に隣接すると共に上記突出面を臨む側面とが交差して形成された凸部に上記第１プリズムの全幅に亘って形成された切り欠きであって、接着面からはみ出した接着剤を収容する接着剤溜めである
ことを特徴とする光ピックアップ装置。
【請求項４】
請求項３に記載の光ピックアップ装置において、
上記接着剤溜めにおける上記第１プリズムの上記一側面と上記側面とに垂直な断面の形状は、上記第１プリズムの上記一側面と上記側面とに頂点を有する三角形である
ことを特徴とする光ピックアップ装置。
【請求項５】
請求項３に記載の光ピックアップ装置において、
上記接着剤溜めにおける上記第１プリズムの上記一側面と上記側面とに垂直な断面の形状は、略四角形である
ことを特徴とする光ピックアップ装置。
【請求項６】
請求項１に記載の光ピックアップ装置において、
上記光分離素子を構成する上記第１プリズムおよび上記第２プリズムの断面形状は、第１レーザ光および第２レーザ光が蹴られないような形状である
ことを特徴とする光ピックアップ装置。
【発明の詳細な説明】
【技術分野】
【０００１】
この発明は、情報記録媒体に対して再生,記録あるいは消去を行うことが可能な光ピックアップ装置に関する。
【背景技術】
【０００２】
光ディスクの記録や再生を行う光ピックアップ装置として、２種類の光ディスクに対応するものがある。この種の光ピックアップ装置は、光ディスクの種類に応じて異なる波長のレーザ光を用いる必要がある。例えば、ＣＤとＤＶＤとに対して記録と再生との両方を行う場合には、ＣＤに対する情報の書き込みと読み出しとを行うためのレーザ光を出射する第１のレーザ装置と、ＤＶＤに対する情報の書き込みと読み出しとを行うためのレーザ光を出射する第２のレーザ装置とを、搭載するのである。
【０００３】
この種の光ピックアップ装置として、従来、図５に示すような光出力系を有するものがある(特開２００４‐１０３１７６号公報(特許文献１))。この光ピックアップ装置においては、データ再生用の波長λ1の第１レーザ光を出射する第１光源１と、データ再生用およびデータ記録用の波長λ2の第２レーザ光を出射する第２光源２と、第１プリズム３および第２プリズム４で構成される光分離素子５と、第２レーザ光用の光モニタ６と、対物レンズ７とを含んで構成されている。
【０００４】
そして、上記光分離素子５を構成する第１プリズム３と第２プリズム４とは接着剤で貼り合わされており、第１プリズム３と第２プリズム４との貼り合わせ面の間には波長選択膜８が介設されている。この波長選択膜８は、第１光源１から出射された波長λ1の第１レーザ光を対物レンズ７に向かって反射させる一方、第２光源２から出射された波長λ2の第２レーザ光を透過させて対物レンズ７に入射させるように構成されている。また、第２光源２と光分離素子５との間には、ホログラムパターン９を有するホログラム素子１０が配置されている。
【０００５】
上記構成を有するピックアップ装置は、以下のように動作する。すなわち、上記第１光源１から出射されたデータ再生用の第１レーザ光は、波長選択膜８によって対物レンズ７に向かって反射され、対物レンズ７によってＣＤ等のディスク１１の表面に集光される。一方、第２光源２から出射されたデータ再生用およびデータ記録用の第２レーザ光は、ホログラム素子１０のホログラムパターン９に入射される。そして、ホログラムパターン９で回折されない第２レーザ光の０次光は、ホログラムパターン９を透過した後に光分離素子５に入射する。そして、波長選択膜８を透過して対物レンズ７に入射され、対物レンズ７によってＤＶＤ等のディスク１１の表面に集光される。
【０００６】
また、上記第２光源２から出射された第２レーザ光のうち、ホログラム素子１０のホログラムパターン９で回折された回折光は、光分離素子５に入射する。ここで、光分離素子５を構成する第１プリズム３および第２プリズム４のうち、第２レーザ光が入射される第２プリズム４における第１プリズム３との貼り合わせ面の方が、第１プリズム３における第２プリズム４との貼り合わせ面よりも長さが長く、第２プリズム４の貼り合わせ面が第１プリズム３よりも外側に突出している。したがって、この第２プリズム４における第１プリズム３よりも突出している突出面１２には、波長選択膜８は形成されていない。そして、ホログラムパターン９で回折された回折光は、第２プリズム４に入射されて突出面１２に至るようになっている。その際に、突出面１２への入射角は臨界角よりも大きくなっている。そのため、ホログラムパターン９で回折された回折光は、突出面１２で全反射されて光モニタ６に入射されるのである。
【０００７】
しかしながら、上記特許文献１に開示された従来の光ピックアップ装置においては、以下のような問題がある。すなわち、第２プリズム４における第１プリズム３との貼り合わせ面の方が、第１プリズム３における第２プリズム４との貼り合わせ面よりも長さが長くなっている。したがって、第１プリズム３と第２プリズム４とを接着剤で貼り合わせる場合に、突出面１２の部分に接着剤１３がはみ出ることになる。
【０００８】
したがって、上記第２プリズム４の突出面１２のうちはみ出した接着剤１３で覆われている箇所において、入射された第２レーザ光が全反射されるための臨界角は、接着剤１３が無い場合とは異なる角度となる。そのため、突出面１２における接着剤１３が存在する箇所では全反射が起こらなくなり、光モニタ６に入射される第２レーザ光の光量が減少する場合が生ずる。その場合には、光モニタ６から出力される信号のＳ/Ｎ比が低下し、第２レーザ光の出射出力を正確に検出できないという問題が生ずる。
【０００９】
さらに、上記はみ出し接着剤１３に起因する光モニタ６への入射光量減少を避けるためには、はみ出し接着剤１３を刷毛等で拭き取る工程が必要となり、生産効率が低下するという問題がある。
【特許文献１】特開２００４‐１０３１７６号公報
【発明の開示】
【発明が解決しようとする課題】
【００１０】
そこで、この発明の課題は、レーザ光の光源の出力光量を正確に検出できる生産効率の高い光ピックアップ装置を提供することにある。
【課題を解決するための手段】
【００１１】
上記課題を解決するため、この発明の光ピックアップ装置は、
第１レーザ光を出射する第１光源と、
上記第１レーザ光とは波長が異なる第２レーザ光を出射する第２光源と、
上記第１レーザ光および上記第２レーザ光を、光ディスクのデータ記録面に集光する対物レンズと、
上記第２レーザ光の光量を検出する光モニタと、
上記第１光源から出射された上記第１レーザ光を上記対物レンズに向かって反射させる一方、上記第２光源から出射された上記第２レーザ光を透過させて上記対物レンズに入射させる波長選択膜、および、上記第２光源から出射された上記第２レーザ光を上記光モニタに向かって反射させる光反射部を有する光分離素子と
を備え、
上記光分離素子は、上記第１光源から出射された上記第１レーザ光が入射される第１プリズムにおける一側面の少なくとも一部と、上記第２光源から出射された上記第２レーザ光が入射される第２プリズムにおける一側面の少なくとも一部とを、接着剤で貼り合わせて構成され、
上記波長選択膜は、上記貼り合わせられた上記第１プリズムの一側面の少なくとも一部と上記第２プリズムの一側面の少なくとも一部との間に狭持されており、
上記光反射部は、上記第２プリズムに設けられており、
上記第１プリズムおよび上記第２プリズムの少なくとも一方に、上記第１プリズムと上記第２プリズムとを接着剤で貼り合わせた際に上記接着剤が接着面からはみ出す領域であって、上記光反射部の領域とは重ならない領域であるはみ出し領域を設けた
ことを特徴としている。
【００１２】
上記構成によれば、第１プリズムと第２プリズムとを接着剤で貼り合わせた際に上記接着剤がはみ出す「はみ出し領域」が、上記第１プリズムおよび上記第２プリズムの少なくとも一方に、第２光源からの第２レーザ光を光モニタに向かって反射させる光反射部の領域とは重ならないように予め設けられている。したがって、上記光反射部の領域を、所望の光量の第２レーザ光を上記光モニタに向かって反射可能な面積に予め形成しておけば、上記第１プリズムと上記第２プリズムとを貼り合わせた際に、上記「はみ出し領域」に接着剤がはみ出しても、上記光反射部で反射されて上記光モニタに入射される第２レーザ光の光量を、上記光モニタから出力される信号のＳ/Ｎ比の低下を防止できる上記所望の光量に保つことができる。
【００１３】
すなわち、この発明によれば、上記第２光源における出力光量を正確に検出することができる。さらに、上記第１プリズムと第２プリズムとを接着剤で貼り合わせて上記光分離素子を形成する場合に、はみ出した接着剤を刷毛等で拭き取る必要が無く、光ピックアップ装置の生産効率を高めることができるのである。
【００１４】
また、１実施の形態の光ピックアップ装置では、
上記第２プリズムの一側面における上記光モニタ側の端部は、上記第１プリズムの一側面よりも突出しており、
上記光反射部と上記はみ出し領域とは、上記第２プリズムの一側面における上記第１プリズムの一側面よりも突出している突出面に設けられており、
上記はみ出し領域は、上記光反射部よりも上記第１プリズム側であって、上記第１プリズムに隣接して配置されている。
【００１５】
この実施の形態によれば、上記光反射部と上記はみ出し領域とを上記第２プリズムの突出面に設けている。したがって、上記はみ出し領域を有していない光ピックアップ装置に対して、上記第１プリズムにおける上記一側面に隣接すると共に上記突出面を臨む側面の傾斜角を変更したり、上記第１プリズムにおける上記側面の位置を反光モニタ側に移動したり、上記第２プリズムの突出面を上記光モニタ側に延長したりすることによって、上記はみ出し領域を簡単に形成することができる。
【００１６】
また、１実施の形態の光ピックアップ装置では、
上記第２プリズムの一側面における上記光モニタ側の端部は、上記第１プリズムの一側面よりも突出しており、
上記光反射部は、上記第２プリズムの一側面における上記第１プリズムの一側面よりも突出している突出面に設けられており、
上記はみ出し領域は、上記第１プリズムにおける上記一側面と上記一則面に隣接すると共に上記突出面を臨む側面とが交差して形成された凸部に上記第１プリズムの全幅に亘って形成された切り欠きであって、接着面からはみ出した接着剤を収容する接着剤溜めである。
【００１７】
この実施の形態によれば、上記第１プリズムにおける上記突出面を臨む側面に、上記はみ出し領域として、接着面からはみ出した接着剤を収容する切り欠きでなる接着剤溜めを設けている。したがって、上記第１プリズムと上記第２プリズムとを貼り合わせた際に、はみ出した接着剤が上記接着剤溜め内に完全に収容されて、上記光反射部内にはみ出すことが防止される。
【００１８】
また、１実施の形態の光ピックアップ装置では、
上記接着剤溜めにおける上記第１プリズムの上記一側面と上記側面とに垂直な断面の形状は、上記第１プリズムの上記一側面と上記側面とに頂点を有する三角形である。
【００１９】
この実施の形態によれば、上記接着剤溜めの断面形状は三角形になっている。したがって、上記第１プリズムにおける上記一側面と上記側面とが交差してなる凸部を全幅に亘って上記側面から上記一側面に向かって斜めに切断するだけで、上記接着剤溜めを簡単に形成することができる。
【００２０】
また、１実施の形態の光ピックアップ装置では、
上記接着剤溜めにおける上記第１プリズムの上記一側面と上記側面とに垂直な断面の形状は、略四角形である。
【００２１】
この実施の形態によれば、上記接着剤溜めの断面形状は略四角形になっている。したがって、上記接着剤溜めの突出面４１に沿った奥行きが、断面形状が三角形である接着剤溜めの奥行きと同じであるとした場合には、断面形状が三角形の接着剤溜めよりも多くのはみ出し接着剤を収容することができる。逆に言えば、同じ量のはみ出し接着剤を収容するのであれば、上記接着剤溜めの上記突出面に沿った奥行きを、断面形状が三角形の接着剤溜めよりも浅くすることができるのである。
【００２２】
また、１実施の形態の光ピックアップ装置では、
上記光分離素子を構成する上記第１プリズムおよび上記第２プリズムの断面形状は、第１レーザ光および第２レーザ光が蹴られないような形状である。
【００２３】
この実施の形態によれば、上記第１プリズムおよび上記第２プリズムの断面形状を、第１レーザ光および第２レーザ光が蹴られないような形状にしている。したがって、可能な限り上記断面形状の面積を小さくすれば、各プリズムの軽量化、延いては当該光ピックアップ装置の軽量化を図ることができる。
【発明の効果】
【００２４】
以上より明らかなように、この発明の光ピックアップ装置は、第１プリズムおよび第２プリズムの少なくとも一方に、上記両プリズムを接着剤で貼り合わせて光分離素子を形成する際に、上記接着剤がはみ出す「はみ出し領域」を、第２光源からの第２レーザ光を光モニタに向かって反射させる光反射部の領域とは重ならないように設けているので、上記光反射部の領域を、所望の光量の第２レーザ光を光モニタに向かって反射可能な面積に予め形成しておけば、上記両プリズムを貼り合わせた際に上記はみ出し領域に接着剤がはみ出しても、上記光モニタに入射される第２レーザ光の光量を、上記光モニタから出力される信号のＳ/Ｎ比の低下を防止できる上記所望の光量に保つことができる。
【００２５】
したがって、上記第２光源における出力光量を正確に検出することができる。さらに、上記両プリズムを接着剤で貼り合わせて上記光分離素子を形成する場合に、はみ出した接着剤を刷毛等で拭き取る必要が無く、光ピックアップ装置の生産効率を高めることができる。
【発明を実施するための最良の形態】
【００２６】
以下、この発明を図示の実施の形態により詳細に説明する。
【００２７】
・第１実施の形態
図１は、本実施の形態の光ピックアップ装置における断面図である。また、図２は、図１におけるＢ部の拡大図である。
【００２８】
図１において、第１光源２１,第２光源２２,第２プリズム２４,光モニタ２６,対物レンズ２７,波長選択膜２８,ホログラムパターン２９,ホログラム素子３０およびディスク３１は、図５に示す従来の光ピックアップ装置における第１光源１,第２光源２,第２プリズム４,光モニタ６,対物レンズ７,波長選択膜８,ホログラムパターン９,ホログラム素子１０およびディスク１１と同じであるので、説明は省略する。
【００２９】
本実施の形態においては、図２に示すように、上記第２プリズム２４は、第１プリズム２３と接着剤で貼り合わされて光分離素子２５を構成している。そして、第２レーザ光が入射される第２プリズム２４における第１プリズム２３との貼り合わせ面の方が、第１プリズム２３における第２プリズム２４との貼り合わせ面よりも長さが長く、第２プリズム２４の貼り合わせ面が第１プリズム２３よりも外側に突出して、突出面３２を形成している。尚、この突出面３２には、波長選択膜２８は形成されていない。
【００３０】
また、上記第１プリズム２３において、第２プリズム２４との貼り合わせ面に隣接すると共に第２プリズム２４の突出面３２を臨む側面３３における突出面３２に対する傾斜角θを、図５に示す従来の光ピックアップ装置における第１プリズム３の突出面１２を臨む側面の傾斜角θ0よりも小さく設定して、突出面３２の図２における紙面に沿った長さＬを、突出面３２で全反射されて光モニタ２６に入射される第２レーザ光の光量が所望の光量となる長さＬ0よりも長くしている。
【００３１】
さらに、上記突出面３２の長さＬを、第１プリズム２３と第２プリズム２４とを接着剤で貼り合わせる場合にはみ出す接着剤３４の紙面に沿った長さの予測最大値Ｌ1を差し引いた長さＬ2が、上記長さＬ0よりも充分長くなるように予め設定しておく。そして、上記ホログラム素子３０のホログラムパターン２９は、図５に示すホログラムパターン９の場合と同様に、ホログラムパターン２９で回折された回折光が、突出面３２における端部から長さＬ0の領域に入射されて、はみ出し接着剤３４が存在する長さＬ1の領域には入射されないように形成されている。
【００３２】
したがって、上記ホログラム素子３０のホログラムパターン２９で回折された第２レーザ光の回折光は、総て突出面３２における端部から長さＬ0のはみ出し接着剤３４が存在しない領域のみに入射されて、光モニタ２６に向かって全反射される。その場合、突出面３２における第２レーザ光が入射される領域の長さＬ0は、所望の光量が得られる長さに設定されている。したがって、上記突出面３２で全反射されて光モニタ２６に入射される第２レーザ光の光量を、光モニタ２６から出力される信号のＳ/Ｎ比の低下を防止できる光量に保つことができるのである。
【００３３】
すなわち、本実施形態によれば、上記光モニタ２６から出力される信号のＳ/Ｎ比の低下を防止して、第２光源２２の出力光量を正確に検出することができる。さらに、第１プリズム２３と第２プリズム２４とを接着剤で貼り合わせて光分離素子２５を形成する場合に、はみ出した接着剤３４を刷毛等で拭き取る必要が無く、光ピックアップ装置の生産効率を高めることができるのである。
【００３４】
上述したように、本実施の形態においては、上記第２プリズム２４の突出面３２に、上記第１プリズム２３を貼り合わせる際に接着剤３４がはみ出す「はみ出し領域(長さＬ1の領域)」と、接着剤３４がはみ出さずにホログラムパターン２９からの回折光が入射可能な領域(長さＬ2の領域)とを設けている。そして、上記回折光が入射可能な領域の長さＬ2を所望の光量の第２レーザ光を全反射可能な「光反射部」の長さＬ0よりも長く設定すると共に、ホログラムパターン２９をホログラムパターン２９での回折光がはみ出し接着剤３４が存在しない長さＬ0の上記光反射部に入射されるように設定しておくのである。こうすることにより、突出面３２で全反射されて光モニタ２６に入射される第２レーザ光の光量を、光モニタ２６から出力される信号のＳ/Ｎ比の低下を防止できる所望の光量に保つことができるのである。
【００３５】
尚、本実施の形態においては、上記第１プリズム２３の側面３３における傾斜角θは鋭角になっているが、鈍角であっても差し支えない。但し、その場合には、傾斜角θを元の傾斜角θ0よりも大きくすることによって、突出面３２の長さＬの拡大化を図ることは言うまでもない。
【００３６】
また、本実施の形態においては、図５に示す光ピックアップ装置のように、上記「はみ出し領域」を有していない光ピックアップ装置に対して、第１プリズム２３の側面３３における傾斜角θを変更することによって、突出面３２の長さＬの拡大化を図っている。しかしながら、この発明はこれに限定されるものではなく、側面３３の位置を第１光源２１側に平行移動することによって、突出面３２の長さＬの拡大化を図ることも可能である。あるいは、第２プリズム２４の第１プリズム２３との貼り合わせ面を光モニタ２６側に延長することによって、突出面３２の長さＬの拡大化を図ることも可能である。但し、その場合には、ホログラムパターン２９を、その回折角が図１の場合よりも外側になるように変更する必要がある。
【００３７】
・第２実施の形態
図３は、本実施の形態の光ピックアップ装置における断面図である。
【００３８】
図３において、第１光源２１,第２光源２２,第２プリズム２４,光モニタ２６,対物レンズ２７,波長選択膜２８,ホログラムパターン２９,ホログラム素子３０およびディスク３１は、図１に示す上記第１実施の形態の場合と同じであるので、同じ番号を付して説明は省略する。また、突出面４１は、図５に示す従来の光ピックアップ装置における突出面１２と同じであるので、説明は省略する。
【００３９】
本実施の形態においては、上記第２プリズム２４と接着剤で貼り合わされて光分離素子４３を構成する第１プリズム４２において、第２プリズム２４との貼り合わせ面と、この貼り合わせ面に隣接すると共に第２プリズム２４の突出面４１を臨む側面４４とが交差して形成された凸部に、第１プリズム４２の全幅に亘って、図３における紙面に沿った断面形状が略四角形の切り欠きで成る接着剤溜め４５が形成されている。その場合に、第２プリズム２４の突出面４１は、第１プリズム４２の接着剤溜め４５の外側に在り、突出面４１の図３における紙面に沿った長さは、図５に示す従来の光ピックアップ装置におけるはみ出し接着剤１３が無い場合の突出面１２の長さと同じ(つまり、突出面４１で全反射されて光モニタ２６に入射される第２レーザ光の光量が所望の光量となる長さ)になっている。
【００４０】
したがって、上記接着剤溜め４５の体積を、第１プリズム４２と第２プリズム２４とを接着剤で貼り合わせる場合に、はみ出した接着剤(図示せず)を完全に収容できる体積に設定することによって、はみ出し接着剤は、第１プリズム４２の接着剤溜め４５内に溜まることになる。こうすることによって、第１プリズム４２と第２プリズム２４とを接着剤で貼り合わせる際に、突出面４１の領域まで接着剤がはみ出すことを防止することができるのである。
【００４１】
すなわち、本実施の形態によれば、上記第１プリズム４２と第２プリズム２４とを接着剤で貼り合わせて光分離素子４３を形成する際に、はみ出した接着剤を接着剤溜め４５内に完全に収容することができる。したがって、突出面４１におけるはみ出し接着剤が存在しない領域の図３の紙面に沿った長さを、図５に示す従来の光ピックアップ装置におけるはみ出し接着剤１３が無い場合の突出面１２の長さと同じに保つことができ、はみ出し接着剤に起因する光モニタ２６に入射される第２レーザ光の光量減少を防止することができるのである。
【００４２】
また、本実施の形態によれば、上記はみ出し接着剤を刷毛等で拭き取る工程が不要となり、生産効率を高めることができる。
【００４３】
図４は、本実施の形態の光ピックアップ装置における図３とは異なる実施例を示す断面図である。
【００４４】
図４において、第１光源２１,第２光源２２,第２プリズム２４,光モニタ２６,対物レンズ２７,波長選択膜２８,ホログラムパターン２９,ホログラム素子３０,ディスク３１および突出面４１は、図３に示す光ピックアップ装置と同じであるので、同じ番号を付して説明は省略する。
【００４５】
本実施の形態においては、上記第２プリズム２４と接着剤で貼り合わされて光分離素子５２を構成する第１プリズム５１において、第２プリズム２４との貼り合わせ面と、この貼り合わせ面に隣接すると共に第２プリズム２４の突出面４１を臨む側面５３とが交差して形成された凸部に、第１プリズム５１の全幅に亘って、第２プリズム２４との貼り合わせ面の箇所で図４における紙面に沿った奥行きが最も深く、且つ、対物レンズ２７側に向かって直線的に浅くなる断面形状(端的に言えば、上記貼り合わせ面と側面５３とに頂点を有する三角形状の形状)を有する切り欠きで成る接着剤溜め５４が形成されている。その場合、第２プリズム２４の突出面４１は、第１プリズム５１の接着剤溜め５４の外側に在り、突出面４１の図４における紙面に沿った長さは、図５に示す従来の光ピックアップ装置におけるはみ出し接着剤１３が無い場合の突出面１２の長さと同じ(つまり、突出面４１で全反射されて光モニタ２６に入射される第２レーザ光の光量が所望の光量となる長さ)になっている。
【００４６】
したがって、上記接着剤溜め５４の体積を、第１プリズム５１と第２プリズム２４とを接着剤で貼り合わせる場合に、はみ出した接着剤(図示せず)を完全に収容できる体積に設定することによって、はみ出し接着剤は、第１プリズム５１の接着剤溜め５４内に溜まることになる。すなわち、第１プリズム５１と第２プリズム２４とを接着剤で貼り合わせる際に、突出面４１の領域まで接着剤がはみ出すことを防止して、はみ出し接着剤に起因する光モニタ２６に入射される第２レーザ光の光量減少を防止することができるのである。
【００４７】
また、図４に示す実施例の場合には、上記第１プリズム５１に接着剤溜め５４を形成するために、第１プリズム５１の側面５３を斜めに切断している。このように、第１プリズム５１の側面５３を切断するだけで接着剤溜め５４を形成することができるので、図３に示す光ピックアップ装置のように側面４４に断面形状が略四角形の切り欠きを切削等によって形成する場合に比して、簡単に接着剤溜め５４を形成することができるのである。
【００４８】
ここで、図３に示す光ピックアップ装置のように側面４４に断面形状が略四角形の切り欠きを形成する場合には、上述のように接着剤溜め４５の形成が面倒ではある。しかしながら、図４に示す光ピックアップ装置との比較において、接着剤溜め４５,５４の第２プリズム２４の突出面４１に沿った奥行きを同じとした場合には、接着剤溜め４５の方が接着剤溜め５４よりも多くのはみ出し接着剤を収容できる。逆に言えば、同じ量のはみ出し接着剤を収容するのであれば、突出面４１に沿った奥行きを浅くすることができるのである。
【００４９】
尚、上記各実施の形態における各プリズム２３,２４,４２,５１の第１,第２レーザ光の光軸を含む断面形状は、図１,図３,図４に示す形状に限定されるものではない。要は、第１,第２レーザ光が蹴られないような断面形状であれば差し支えないのである。さらに、第１,第２レーザ光が蹴られない範囲内において可能な限り上記断面形状の面積を小さくすれば、各プリズム２３,２４,４２,５１の軽量化、延いては光ピックアップ装置の軽量化を図ることができるのである。
【００５０】
また、上記各実施の形態においては、上記接着剤３４がはみ出す領域および接着剤溜め４５,５４は、第１プリズム２３,４２,５１を変形することによって形成されている。しかしながら、この発明はこれに限定されるものではなく、上記突出面３２,４１で構成されている上記光反射部の箇所とはみ出した接着剤によって濡れる箇所との兼ね合いによっては、上記接着剤がはみ出す領域あるいは上記接着剤溜めを第２プリズム２４を変形することによって形成しても差し支えない。
【図面の簡単な説明】
【００５１】
【図１】この発明の光ピックアップ装置における断面図である。
【図２】図１におけるＢ部の拡大図である。
【図３】図１とは異なる光ピックアップ装置の断面図である。
【図４】図１および図３とは異なる光ピックアップ装置の断面図である。
【図５】従来の光ピックアップ装置の断面図である。
【符号の説明】
【００５２】
２１…第１光源、
２２…第２光源、
２３,４２,５１…第１プリズム、
２４…第２プリズム、
２５,４３,５２…光分離素子、
２６…光モニタ、
２７…対物レンズ、
２８…波長選択膜、
２９…ホログラムパターン、
３０…ホログラム素子、
３１…ディスク、
３２,４１…突出面、
３３,４４,５３…側面、
３４…接着剤、
４５,５４…接着剤溜め。
【図１】
2007157223.tif 000003
【図２】
2007157223.tif 000004
【図３】
2007157223.tif 000005
【図４】
2007157223.tif 000006
【図５】
2007157223.tif 000007